(57)【特許請求の範囲】
【請求項１】
複数のバスバが絶縁板に取り付けられ、前記複数のバスバに複数の電子部品が電気接続された電子部品基板と、該電子部品基板を収容したケースと、を有し、前記各バスバに設けられた外部端子接続部が集められてコネクタ接続部が形成された電子部品モジュールにおいて、
前記コネクタ接続部が、前記複数の電子部品の間に配置され、
前記電子部品基板を一対有し、前記各電子部品基板の前記絶縁板が、第１の面と第２の面と第３の面とを有し、前記第１の面と前記第３の面とが対向しており、
前記各バスバが、前記電子部品が搭載される部品搭載部と、前記外部端子接続部と、前記部品搭載部と前記外部端子接続部との間に位置する中間部と、を有し、
前記部品搭載部が前記第１の面に取り付けられ、前記中間部が前記第２の面に取り付けられ、前記外部端子接続部における前記中間部寄りの端部が前記第３の面に取り付けられ、
前記一対の電子部品基板が、前記第３の面が向かい合わせになる向きで配置されている
ことを特徴とする電子部品モジュール。
【請求項２】
複数のバスバが絶縁板に取り付けられ、前記複数のバスバに複数の電子部品が電気接続された電子部品基板を有し、前記各バスバに設けられた外部端子接続部が前記絶縁板から同一方向に突出した電子部品モジュールにおいて、
前記複数の外部端子接続部と前記複数の電子部品との並び方向が、前記外部端子接続部に外部端子が電気接続される方向と交差する方向であり、
前記電子部品基板を一対有し、前記各電子部品基板の前記絶縁板が、第１の面と第２の面と第３の面とを有し、前記第１の面と前記第３の面とが対向しており、
前記各バスバが、前記電子部品が搭載される部品搭載部と、前記外部端子接続部と、前記部品搭載部と前記外部端子接続部との間に位置する中間部と、を有し、
前記部品搭載部が前記第１の面に取り付けられ、前記中間部が前記第２の面に取り付けられ、前記外部端子接続部における前記中間部寄りの端部が前記第３の面に取り付けられ、
前記一対の電子部品基板が、前記第３の面が向かい合わせになる向きで配置されている
ことを特徴とする電子部品モジュール。
【請求項３】
前記複数の電子部品が二列に配置され、前記複数の外部端子接続部が前記二列の電子部品間に配置されている
ことを特徴とする請求項１または請求項２に記載の電子部品モジュール。
【請求項４】
前記電子部品がリレーである
ことを特徴とする請求項１ないし請求項３のうちいずれか１項に記載の電子部品モジュール。
【発明の詳細な説明】
【技術分野】
【０００１】
本発明は、車両用電気接続箱等の電子機器に用いられる電子部品モジュールに関するものであり、詳細には、複数のバスバが絶縁板に取り付けられ、前記複数のバスバに複数の電子部品が電気接続された電子部品基板を有し、前記各バスバに外部端子と電気接続される外部端子接続部が設けられた電子部品モジュールに関するものである。
【背景技術】
【０００２】
図１５は、従来の電子部品モジュールを示す斜視図である（特許文献１を参照。）。図１５に示すように、電子部品モジュール３１６は、二枚のリレー接続ユニット３１１，３１５が対向配置されて構成されている。
【０００３】
上記リレー接続ユニット３１１は、絶縁板３０５と、絶縁板３０５の表面に配索された複数のバスバ３０６と、から成るバスバ基板３０１に、リレー３０２が２つ搭載されたものである。また、上記リレー接続ユニット３１５は、絶縁板３１２と、絶縁板３１２の表面に配索された複数のバスバ３１３と、から成るバスバ基板３０３に、リレー３０４が２つ搭載されたものである。また、複数のバスバ３０６，３１３の一端は、コネクタ接続部を構成する外部端子接続部３０６ｃ，３１３ｃとして絶縁板３０５，３１２の一端から突出している。
【０００４】
上記電子部品モジュール３１６は、例えば電気接続箱本体やＥＣＵボックス本体といったボックス本体内に収容され、複数のバスバ３０６，３１３の外部端子接続部３０６ｃ，３１３ｃがコネクタハウジング内に突出してコネクタ接続部を構成する。このコネクタ接続部には、ワイヤハーネス等のコネクタが嵌合される。
【先行技術文献】
【特許文献】
【０００５】
【特許文献１】特開２００５−２１０８０４号公報
【発明の概要】
【発明が解決しようとする課題】
【０００６】
上述した電子部品モジュール３１６は、外部端子接続部３０６ｃ，３１３ｃの絶縁板３０５，３１２からの突出方向（すなわち、コネクタ接続部にコネクタが嵌合される方向）に、外部端子接続部３０６ｃ，３１３ｃとリレー３０２，３０４とが並ぶ配置となっていた。そのため、電子部品モジュール３１６の前記突出方向の寸法は、最低でもリレー３０２，３０４の長さと外部端子接続部３０６ｃ，３１３ｃの長さとを足した寸法となるが、この電子部品モジュール３１６に対してはさらなる小型化の要求があった。
【０００７】
したがって、本発明は、外部端子接続部に外部端子が電気接続される方向の寸法を小型化できる電子部品モジュールを提供することを目的とする。
【課題を解決するための手段】
【０００８】
上記目的を達成するために請求項１に記載された発明は、複数のバスバが絶縁板に取り付けられ、前記複数のバスバに複数の電子部品が電気接続された電子部品基板と、該電子部品基板を収容したケースと、を有し、前記各バスバに設けられた外部端子接続部が集められてコネクタ接続部が形成された電子部品モジュールにおいて、前記コネクタ接続部が、前記複数の電子部品の間に配置され、前記電子部品基板を一対有し、前記各電子部品基板の前記絶縁板が、第１の面と第２の面と第３の面とを有し、前記第１の面と前記第３の面とが対向しており、前記各バスバが、前記電子部品が搭載される部品搭載部と、前記外部端子接続部と、前記部品搭載部と前記外部端子接続部との間に位置する中間部と、を有し、 前記部品搭載部が前記第１の面に取り付けられ、前記中間部が前記第２の面に取り付けられ、前記外部端子接続部における前記中間部寄りの端部が前記第３の面に取り付けられ、 前記一対の電子部品基板が、前記第３の面が向かい合わせになる向きで配置されていることを特徴とする電子部品モジュールである。
【０００９】
上記目的を達成するために請求項２に記載された発明は、複数のバスバが絶縁板に取り付けられ、前記複数のバスバに複数の電子部品が電気接続された電子部品基板を有し、前記各バスバに設けられた外部端子接続部が前記絶縁板から同一方向に突出した電子部品モジュールにおいて、前記複数の外部端子接続部と前記複数の電子部品との並び方向が、前記外部端子接続部に外部端子が電気接続される方向と交差する方向であり、前記電子部品基板を一対有し、前記各電子部品基板の前記絶縁板が、第１の面と第２の面と第３の面とを有し、前記第１の面と前記第３の面とが対向しており、前記各バスバが、前記電子部品が搭載される部品搭載部と、前記外部端子接続部と、前記部品搭載部と前記外部端子接続部との間に位置する中間部と、を有し、前記部品搭載部が前記第１の面に取り付けられ、前記中間部が前記第２の面に取り付けられ、前記外部端子接続部における前記中間部寄りの端部が前記第３の面に取り付けられ、前記一対の電子部品基板が、前記第３の面が向かい合わせになる向きで配置されていることを特徴とする電子部品モジュールである。
【００１０】
請求項３に記載された発明は、請求項１または請求項２に記載された発明において、前記複数の電子部品が二列に配置され、前記複数の外部端子接続部が前記二列の電子部品間に配置されていることを特徴とするものである。
【００１３】
請求項４に記載された発明は、請求項１ないし請求項３のうちいずれか１項に記載された発明において、前記電子部品がリレーであることを特徴とするものである。
【発明の効果】
【００１４】
請求項１，４に記載された発明によれば、前記コネクタ接続部が、前記複数の電子部品の間に配置されているので、複数の外部端子接続部と複数の電子部品との並び方向が、外部端子接続部に外部端子が電気接続される方向と交差する方向となり、そのために、外部端子接続部に外部端子が電気接続される方向の寸法を小型化できる電子部品モジュールを提供することができる。
また、前記電子部品基板を一対有し、前記各電子部品基板の前記絶縁板が、第１の面と第２の面と第３の面とを有し、前記第１の面と前記第３の面とが対向しており、前記各バスバが、前記電子部品が搭載される部品搭載部と、前記外部端子接続部と、前記部品搭載部と前記外部端子接続部との間に位置する中間部と、を有し、前記部品搭載部が前記第１の面に取り付けられ、前記中間部が前記第２の面に取り付けられ、前記外部端子接続部における前記中間部寄りの端部が前記第３の面に取り付けられ、前記一対の電子部品基板が、前記第３の面が向かい合わせになる向きで配置されているので、外部端子接続部に外部端子が電気接続される方向の寸法をより小型化でき、かつ、容易に製造することができる。
【００１５】
請求項２に記載された発明によれば、前記複数の外部端子接続部と前記複数の電子部品
との並び方向が、前記外部端子接続部に外部端子が電気接続される方向と交差する方向で
あるので、外部端子接続部に外部端子が電気接続される方向の寸法を小型化できる電子部
品モジュールを提供することができる。
また、前記電子部品基板を一対有し、前記各電子部品基板の前記絶縁板が、第１の面と第２の面と第３の面とを有し、前記第１の面と前記第３の面とが対向しており、前記各バスバが、前記電子部品が搭載される部品搭載部と、前記外部端子接続部と、前記部品搭載部と前記外部端子接続部との間に位置する中間部と、を有し、前記部品搭載部が前記第１の面に取り付けられ、前記中間部が前記第２の面に取り付けられ、前記外部端子接続部における前記中間部寄りの端部が前記第３の面に取り付けられ、前記一対の電子部品基板が、前記第３の面が向かい合わせになる向きで配置されているので、外部端子接続部に外部端子が電気接続される方向の寸法をより小型化でき、かつ、容易に製造することができる。
【００１６】
請求項３に記載された発明によれば、前記複数の電子部品が二列に配置され、前記複数の外部端子接続部が前記二列の電子部品間に配置されているので、各電子部品から各外部端子接続部までの経路が単純かつ最短となり、バスバを構成する金属の使用量を少なくできる。
【図面の簡単な説明】
【００１９】
【図１】本発明の参考例にかかる電子部品モジュールと、該電子部品モジュールに嵌合されるコネクタと、前記電子部品モジュールが取り付けられる電気接続箱のケースとを示す斜視図である。
【図２】図１に示された電子部品モジュールのコネクタ接続部と、該コネクタ接続部に嵌合されるコネクタとを示す斜視図である。
【図３】図１に示された電子部品モジュールの拡大図である。
【図４】図３に示された電子部品モジュールの分解図である。
【図５】図４に示された電子部品基板の分解図である。
【図６】本発明の第１の実施形態にかかる電子部品モジュールを示す斜視図である。
【図７】図６に示された電子部品モジュールの分解図である。
【図８】図７に示された電子部品基板の分解図である。
【図９】本発明の第２の実施形態にかかる電子部品モジュールを示す斜視図である。
【図１０】図９に示された電子部品モジュールの分解図である。
【図１１】図１０に示された電子部品基板の分解図である。
【図１２】本発明の第３の実施形態にかかる電子部品モジュールを示す斜視図である。
【図１３】図１２に示された電子部品モジュールの分解図である。
【図１４】図１３に示された電子部品基板の分解図である。
【発明を実施するための形態】
【００２０】
（参考例）
本発明の参考例にかかる「電子部品モジュール」を図１〜５を参照して説明する。
【００２１】
本発明の電子部品モジュール１Ａは、自動車用電気接続箱に用いられて電源分配を行うものであり、図１に示すように、電気接続箱のケース１１に取り付けられる。電子部品モジュール１Ａの底壁３２側には、図２に示すように、コネクタ接続部７が形成されており、このコネクタ接続部７にはワイヤハーネスのコネクタ９が嵌合される。コネクタ９の内部には、電線１０の端末に取り付けられた雌端子金具、すなわち外部端子、が複数収容されている。また、図１中の矢印Ａは、コネクタ９のコネクタ接続部７への嵌合方向を表しており、図１中の矢印Ｙは、ケース１１の高さ方向を表している。矢印Ａと矢印Ｙとは平行である。
【００２２】
上記電子部品モジュール１Ａは、図４に示すように、複数のバスバ４Ａが平板状の絶縁板５に取り付けられ、複数のバスバ４Ａに複数の基板用リレー（請求項の「電子部品」に相当する。）６が電気接続された電子部品基板２Ａと、該電子部品基板２Ａを収容した合成樹脂製のケース３Ａと、を有している。また、ケース３Ａの底壁３２側には、上述したようにコネクタ接続部７が形成されている。
【００２３】
上記複数のバスバ４Ａは、金属板にプレス加工等が施されて得られるものであり、図５に示すように、リレー６、抵抗１２が搭載される部品搭載部４１と、外部端子接続部４２と、部品搭載部４１と外部端子接続部４２との間に位置する中間部４３と、を有している。部品搭載部４１には、リレー６の端子部６１または抵抗１２の端子部が挿通される貫通孔４０が形成されている。部品搭載部４１及び中間部４３は平らであり、同一平面上に配置されている。外部端子接続部４２は、棒状に形成されており、中間部４３の一端において直角に曲げ起こされている。この外部端子接続部４２は、後述するコネクタ接続部７を構成し、コネクタ９の雌端子金具内に挿入されて該雌端子金具と電気接続される。
【００２４】
上記電子部品基板２Ａは、全てのバスバ４Ａの部品搭載部４１及び中間部４３が、絶縁板５に一体化されているとともに同一平面上に配置されており、全てのバスバ４Ａの外部端子接続部４２が、絶縁板５の中央に集められて該絶縁板５からリレー６が取り付けられた側に垂直方向に突出している。すなわち、電子部品基板２Ａにおいては、複数の外部端子接続部４２と複数のリレー６との並び方向が、外部端子接続部４２にコネクタ９の雌端子金具が電気接続される方向と交差する方向となる。また、外部端子接続部４２にコネクタ９の雌端子金具が電気接続される方向は、絶縁板５に対して垂直な方向である。
【００２５】
また、電子部品基板２Ａにおいては、複数のリレー６が二列に配置されており、複数の外部端子接続部４２が二列のリレー６間に配置されている。すなわち、複数の外部端子接続部４２は、複数のリレー６の間に配置されている。さらに、電子部品基板２Ａは、絶縁板５と垂直な方向から見た平面視において、全てのバスバ４Ａが互いに重ならない位置に配置されている。
【００２６】
このような電子部品基板２Ａは、金属板から複数のバスバ４Ａを一括型抜きし、各外部端子接続部４２を折り曲げ、これら複数のバスバ４Ａをインサート成形により絶縁板５に取り付けて、リレー６及び抵抗１２を複数のバスバ４Ａにはんだ付けすることにより組み立てられる。また、本発明では、インサート成形以外に、複数のバスバ４Ａを絶縁板５に係止させることで取り付けるようにしても良い。
【００２７】
上記ケース３Ａは、図３，４に示すように、箱部３１と、箱部３１の開口部を覆う蓋部３０と、で構成されている。箱部３１は、底壁３２と、周壁３３と、周壁３３の外面に設けられた係止部３４と、底壁３２から蓋部３０側に凹に形成された凹部３５と、を有している。係止部３４は、上述した電気接続箱のケース１１に係止する部位である。凹部３５は、後述するコネクタ接続部７を構成する部位であり、図２に示すように、２つ形成されている。また、凹部３５の底部（最も蓋部３０寄りの部分）には、上述した外部端子接続部４２が挿通される貫通孔３６が、コネクタ接続部７を構成する外部端子接続部４２と同数形成されている。
【００２８】
上記コネクタ接続部７は、上述した電子部品基板２Ａの複数の外部端子接続部４２と、上述したケース３Ａに形成された凹部３５と、により構成されている。すなわち、電子部品基板２Ａが図４に示す向きで箱部３１内に収容されることにより、複数の外部端子接続部４２が貫通孔３６を通されて凹部３５内に位置付けられ、コネクタ接続部７が形成される。このコネクタ接続部７は、複数のリレー６の間に配置されている。また、電子部品モジュール１Ａにおいては、コネクタ接続部７が２つ形成されており、これらコネクタ接続部７がケース３Ａの長手方向に並ぶように配置されている。また、ワイヤハーネスのコネクタ９がコネクタ接続部７に嵌合される方向は、絶縁板５に対して垂直な方向である。
【００２９】
上述した本発明の電子部品モジュール１Ａは、コネクタ接続部７が二列のリレー６の間に配置されており、複数の外部端子接続部４２と複数のリレー６との並び方向（絶縁板５の幅方向）が、外部端子接続部４２にコネクタ９の雌端子金具が電気接続される方向（絶縁板５に垂直な方向）と交差する方向であるので、ケース３Ａの高さ方向（矢印Ｙ方向）の最小寸法を、絶縁板５の厚みと、リレー６の高さと、ケース３Ａの底壁３２及び蓋部３０の厚みとを足した寸法とすることができ、従来品（図１５を参照。）と比較して非常に小型化することができる。
【００３０】
また、上述した本発明の電子部品モジュール１Ａは、複数のリレー６が二列に配置され、複数の外部端子接続部４２が二列のリレー６間に配置されているので、各リレー６から各外部端子接続部４２までの経路が単純かつ最短となり、バスバ４Ａを構成する金属の使用量を少なくできる。
【００３１】
また、上述した本発明の電子部品モジュール１Ａは、全てのバスバ４Ａの部品搭載部４１及び中間部４３が同一平面上に配置されているので、インサート成形によって複数のバスバ４Ａを容易に絶縁板５に取り付けることができ、かつ、絶縁板５の厚みを最小化することができる。よって、ケース３Ａの高さ方向の寸法を、より小型化することができる。
【００３２】
本発明の電子部品モジュール１Ａが適用された電気接続箱においては、ケース１１の高さ方向の寸法を小型化することができる。
【００３３】
（第１の実施形態）
本発明の第１の実施形態にかかる「電子部品モジュール」を図６〜８を参照して説明する。また、図６〜８において、前述した参考例と同一構成部分には同一符号を付して説明を省略する。
【００３４】
本発明の電子部品モジュール１Ｂは、参考例と同様に、自動車用電気接続箱に用いられて電源分配を行うものであり、図１に示した電気接続箱のケース１１に取り付けられる。電子部品モジュール１Ｂの底壁３２側には、図７に示すように、コネクタ接続部７が形成されており、このコネクタ接続部７にはワイヤハーネスのコネクタ９が嵌合される。また、図７中の矢印Ｂは、コネクタ９のコネクタ接続部７への嵌合方向を表しており、図７中の矢印Ｙは、前記ケース１１の高さ方向を表している。矢印Ｂと矢印Ｙとは平行である。
【００３５】
上記電子部品モジュール１Ｂは、図７に示すように、複数のバスバ４Ｂが絶縁板８に取り付けられ、複数のバスバ４Ｂに複数の基板用リレー（請求項の「電子部品」に相当する。）６が電気接続された電子部品基板２Ｂを一対有するとともに、該一対の電子部品基板２Ｂを収容した合成樹脂製のケース３Ｂと、を有している。また、ケース３Ｂの底壁３２側には、上述したようにコネクタ接続部７が形成されている。
【００３６】
上記複数のバスバ４Ｂは、図７，８に示すように、リレー６、抵抗１３が搭載される部品搭載部４１と、外部端子接続部４２と、部品搭載部４１と外部端子接続部４２との間に位置する中間部４３と、を有している。このバスバ４Ｂは、部品搭載部４１が中間部４３の他端において外部端子接続部４２と同一方向に直角に曲げ起こされていること以外は、第１の実施形態で説明したバスバ４Ａと同一の構成である。すなわち、外部端子接続部４２は、参考例と同様に、コネクタ接続部７を構成し、コネクタ９の雌端子金具内に挿入されて該雌端子金具と電気接続される。
【００３７】
上記絶縁板８は、図７，８に示すように、バスバ４Ｂの部品搭載部４１が取り付けられる第１の面８１と、中間部４３が取り付けられる第２の面８２と、外部端子接続部４２における中間部４３寄りの一端が取り付けられる第３の面８３とを有している。また、第１の面８１と第３の面８３とは対向している。
【００３８】
上記電子部品基板２Ｂは、全てのバスバ４Ｂの部品搭載部４１が、絶縁板８の第１の面８１に一体化されているとともに同一平面上に配置されており、全てのバスバ４Ｂの中間部４３が、第２の面８２に一体化されているとともに同一平面上に配置されており、全てのバスバ４Ｂの外部端子接続部４２が、第３の面８３に一体化されているとともに同一平面上に配置されている。また、全てのバスバ４Ｂの外部端子接続部４２における他端が、第３の面８３の端部から第１の面８１と平行に突出している。すなわち、電子部品基板２Ｂにおいては、複数の外部端子接続部４２と複数のリレー６との並び方向が、外部端子接続部４２にコネクタ９の雌端子金具が電気接続される方向と交差する方向となる。また、外部端子接続部４２にコネクタ９の雌端子金具が電気接続される方向は、第１の面８１と平行な方向である。
【００３９】
また、電子部品基板２Ｂにおいては、複数のリレー６が、外部端子接続部４２にコネクタ９の雌端子金具が電気接続される方向と交差する方向に一列に配置されている。また、一対の電子部品基板２Ｂは、第３の面８３が向かい合わせになる向きでケース３Ｂ内に配置されている。すなわち、電子部品モジュール１Ｂにおいては、複数のリレー６が二列に配置されており、複数の外部端子接続部４２が二列のリレー６間に配置されている。すなわち、複数の外部端子接続部４２は、複数のリレー６の間に配置されている。
【００４０】
このような電子部品基板２Ｂは、金属板から複数のバスバ４Ｂを一括型抜きし、各部品搭載部４１及び各外部端子接続部４２を折り曲げ、これら複数のバスバ４Ｂをインサート成形により絶縁板８に取り付けて、リレー６及び抵抗１３を複数のバスバ４Ｂにはんだ付けすることにより組み立てられる。また、本発明では、インサート成形以外に、複数のバスバ４Ｂを絶縁板８に係止させることで取り付けるようにしても良い。
【００４１】
上記ケース３Ｂは、図６，７に示すように、箱部３１と、箱部３１の開口部を覆う蓋部３０と、で構成されている。箱部３１は、底壁３２と、周壁３３と、周壁３３の外面に設けられた係止部３４と、コネクタ接続部７を構成する凹部３５と、凹部３５の底部（最も蓋部３０寄りの部分）から蓋部３０側に立設した外部端子接続部挟持壁３７と、を有している。外部端子接続部挟持壁３７は、第３の面８３との間に外部端子接続部４２の一端を挟む壁である。
【００４２】
上記コネクタ接続部７は、上述した一対の電子部品基板２Ｂの複数の外部端子接続部４２と、上述したケース３Ｂに形成された凹部３５と、により構成されている。すなわち、一対の電子部品基板２Ｂが図７に示す向きで箱部３１内に収容されることにより、複数の外部端子接続部４２が貫通孔３６を通されて凹部３５内に位置付けられ、コネクタ接続部７が形成される。このコネクタ接続部７は、複数のリレー６の間に配置されている。また、電子部品モジュール１Ｂにおいては、コネクタ接続部７が２つ形成されており、これらコネクタ接続部７がケース３Ｂの長手方向に並ぶように配置されている。また、ワイヤハーネスのコネクタ９がコネクタ接続部７に嵌合される方向は、第１の面８１と平行な方向である。
【００４３】
上述した本発明の電子部品モジュール１Ｂは、コネクタ接続部７が二列のリレー６の間に配置されており、複数の外部端子接続部４２と複数のリレー６との並び方向が、外部端子接続部４２にコネクタ９の雌端子金具が電気接続される方向（第１の面８１と平行な方向）と交差する方向であるので、ケース３Ｂの高さ方向（矢印Ｙ方向）の寸法を、従来品（図１５を参照。）と比較して非常に小型化することができる。
【００４４】
本発明の電子部品モジュール１Ｂが適用された電気接続箱においては、ケース１１の高さ方向の寸法を小型化することができる。さらに、ケース３Ｂ内で結露した水がリレー６と絶縁板８との間に滞留することを防止でき、錆の発生等を防止することができる。
【００４５】
（第２の実施形態）
本発明の第２の実施形態にかかる「電子部品モジュール」を図９〜１１を参照して説明する。また、図９〜１１において、前述した参考例、第１の実施形態と同一構成部分には同一符号を付して説明を省略する。
【００４６】
本発明の電子部品モジュール１０１Ａは、参考例と同様に、自動車用電気接続箱に用いられて電源分配を行うものであり、図示しない電気接続箱のケースに取り付けられる。電子部品モジュール１０１Ａには、図９に示すように、コネクタ接続部１０７Ａが形成されており、このコネクタ接続部１０７Ａにはワイヤハーネスのコネクタ９が嵌合される。また、図１０中の矢印Ｃは、コネクタ９のコネクタ接続部１０７Ａへの嵌合方向を表しており、図１０中の矢印Ｙは、前記電気接続箱のケースの高さ方向を表している。矢印Ｃと矢印Ｙとは平行である。
【００４７】
上記電子部品モジュール１０１Ａは、図１０，１１に示すように、複数のバスバ４Ｂが絶縁板１０５Ａに取り付けられ、複数のバスバ４Ｂに複数の基板用リレー（請求項の「電子部品」に相当する。）６が電気接続された電子部品基板１０２Ａを有するとともに、該電子部品基板１０２Ａを収容した合成樹脂製のケース１０３Ａと、を有している。また、ケース１０３Ａの側方には、上述したコネクタ接続部１０７Ａが形成されている。
【００４８】
上記複数のバスバ４Ｂは、図１０，１１に示すように、リレー６、抵抗１２が搭載される部品搭載部４１と、外部端子接続部４２と、部品搭載部４１と外部端子接続部４２との間に位置する中間部４３と、を有している。外部端子接続部４２は、コネクタ接続部１０７Ａを構成し、コネクタ９の雌端子金具内に挿入されて該雌端子金具と電気接続される。
【００４９】
上記絶縁板１０５Ａは、図１０に示すように、バスバ４Ｂの部品搭載部４１が取り付けられる第１の面１５１Ａと、中間部４３が取り付けられる第２の面１５２Ａと、を有している。また、第１の面１５１Ａと第２の面１５２Ａとは９０度の角をなしている。
【００５０】
上記電子部品基板１０２Ａは、全てのバスバ４Ｂの部品搭載部４１が、絶縁板１０５Ａの第１の面１５１Ａに一体化されているとともに同一平面上に配置されており、全てのバスバ４Ｂの中間部４３が、第２の面１５２Ａに一体化されているとともに同一平面上に配置されており、全てのバスバ４Ｂの外部端子接続部４２が、第２の面１５２Ａから第１の面１５１Ａと平行に突出している。すなわち、電子部品基板１０２Ａにおいては、複数の外部端子接続部４２と複数のリレー６との並び方向が、外部端子接続部４２にコネクタ９の雌端子金具が電気接続される方向と交差する方向となる。また、外部端子接続部４２にコネクタ９の雌端子金具が電気接続される方向は、第１の面１５１Ａと平行な方向である。
【００５１】
このような電子部品基板１０２Ａは、金属板から複数のバスバ４Ｂを型抜きし、各部品搭載部４１及び各外部端子接続部４２を折り曲げ、これら複数のバスバ４Ｂをインサート成形により絶縁板１０５Ａに取り付けて、リレー６及び抵抗１２を複数のバスバ４Ｂにはんだ付けすることにより組み立てられる。また、本発明では、インサート成形以外に、複数のバスバ４Ｂを絶縁板１０５Ａに係止させることで取り付けるようにしても良い。
【００５２】
上記ケース１０３Ａは、図９，１０に示すように、箱部１３１Ａと、箱部１３１Ａの開口部を覆う蓋部１３０Ａと、で構成されている。箱部１３１Ａは、底壁１３２と、周壁１３３と、周壁１３３の外面に設けられた係止部１３４と、周壁１３３の上端に設けられた鍔部１３５と、鍔部１３５の下方に設けられた外部端子収容部１３７と、を有している。係止部１３４は、上述した電気接続箱のケースに係止する部位である。外部端子収容部１３７は、後述するコネクタ接続部１０７Ａを構成する部位であり、内側に複数の外部端子接続部４２及びコネクタ９を位置付ける。鍔部１３５には、外部端子接続部４２が挿通される貫通孔１３６が、コネクタ接続部１０７Ａを構成する外部端子接続部４２と同数形成されている。
【００５３】
上記コネクタ接続部１０７Ａは、上述した電子部品基板１０２Ａの複数の外部端子接続部４２と、上述したケース１０３Ａに形成された外部端子収容部１３７と、により構成されている。すなわち、電子部品基板１０２Ａが図１０に示す向きで箱部１３１Ａ内に収容されることにより、複数の外部端子接続部４２が貫通孔１３６を通されて外部端子収容部１３７内に位置付けられ、コネクタ接続部１０７Ａが形成される。また、複数の外部端子接続部４２は、二列に配置されている。また、ワイヤハーネスのコネクタ９がコネクタ接続部１０７Ａに嵌合される方向は、第１の面１５１Ａと平行な方向である。
【００５４】
上述した本発明の電子部品モジュール１０１Ａは、複数の外部端子接続部４２と複数のリレー６との並び方向が、外部端子接続部４２にコネクタ９の雌端子金具が電気接続される方向（第１の面１５１Ａと平行な方向）と交差する方向であるので、ケース１０３Ａの高さ方向（矢印Ｙ方向）の寸法を、従来品（図１５を参照。）と比較して非常に小型化することができる。
【００５５】
本発明の電子部品モジュール１０１Ａが適用された電気接続箱においては、電気接続箱のケースの高さ方向の寸法を小型化することができる。
【００５６】
（第３の実施形態）
本発明の第３の実施形態にかかる「電子部品モジュール」を図１２〜１４を参照して説明する。また、図１２〜１４において、前述した第１、２の実施形態と同一構成部分には同一符号を付して説明を省略する。
【００５７】
本発明の電子部品モジュール１０１Ｂは、第２の実施形態と同様に、自動車用電気接続箱に用いられて電源分配を行うものであり、図示しない電気接続箱のケースに取り付けられる。電子部品モジュール１０１Ｂには、図１２に示すように、コネクタ部１０７Ｂが形成されており、このコネクタ部１０７Ｂには電線の端末に取り付けられた雌端子金具、すなわち外部端子、が嵌合される。また、図１３中の矢印Ｄは、前記雌端子金具のコネクタ部１０７Ｂへの嵌合方向を表しており、図１３中の矢印Ｙは、前記電気接続箱のケースの高さ方向を表している。矢印Ｄと矢印Ｙとは平行である。
【００５８】
上記電子部品モジュール１０１Ｂは、図１３，１４に示すように、複数のバスバ４Ｂが絶縁板１０５Ｂに取り付けられ、複数のバスバ４Ｂに複数の基板用リレー（請求項の「電子部品」に相当する。）６が電気接続された電子部品基板１０２Ｂを有するとともに、該電子部品基板１０２Ｂを収容した合成樹脂製のケース１０３Ｂと、前記雌端子金具の抜け止めを行うスペーサ１０６と、を有している。また、ケース１０３Ｂの側方には、上述したコネクタ部１０７Ｂが形成されている。
【００５９】
上記複数のバスバ４Ｂは、図１３，１４に示すように、リレー６、抵抗１２が搭載される部品搭載部４１と、外部端子接続部４２と、部品搭載部４１と外部端子接続部４２との間に位置する中間部４３と、を有している。外部端子接続部４２は、コネクタ部１０７Ｂを構成し、前記雌端子金具内に挿入されて該雌端子金具と電気接続される。
【００６０】
上記絶縁板１０５ｂは、図１３に示すように、バスバ４Ｂの部品搭載部４１が取り付けられる第１の面１５１Ｂと、中間部４３が取り付けられる第２の面１５２Ｂと、を有している。また、第１の面１５１Ｂと第２の面１５２Ｂとは９０度の角をなしている。
【００６１】
上記電子部品基板１０２Ｂは、全てのバスバ４Ｂの部品搭載部４１が、絶縁板１０５Ｂの第１の面１５１Ｂに一体化されているとともに同一平面上に配置されており、全てのバスバ４Ｂの中間部４３が、第２の面１５２Ｂに一体化されているとともに同一平面上に配置されており、全てのバスバ４Ｂの外部端子接続部４２が、第２の面１５２Ｂから第１の面１５１Ｂと平行に突出している。すなわち、電子部品基板１０２Ｂにおいては、複数の外部端子接続部４２と複数のリレー６との並び方向が、外部端子接続部４２に前記雌端子金具が電気接続される方向と交差する方向となる。また、外部端子接続部４２に前記雌端子金具が電気接続される方向は、第１の面１５１Ｂと平行な方向である。
【００６２】
このような電子部品基板１０２Ｂは、第３の実施形態で説明した電子部品基板１０２Ａと同様の方法で組み立てられる。
【００６３】
上記ケース１０３Ｂは、図１２，１３に示すように、箱部１３１Ｂと、箱部１３１Ｂの開口部を覆う蓋部１３０Ｂと、で構成されている。箱部１３１Ｂは、底壁１３２と、周壁１３３と、周壁１３３の外面に設けられた係止部１３４と、周壁１３３の外面に設けられた端子収容部１３８と、を有している。端子収容部１３８は、後述するコネクタ部１０７Ｂを構成する部位であり、内側に複数の外部端子接続部４２及び複数の前記雌端子金具を位置付ける。また、端子収容部１３８の外壁には、上述したスペーサ１０６が装着される開口部１３９が形成されている。
【００６４】
上記スペーサ１０６は合成樹脂で構成されており、開口部１３９に装着されることによって、端子収容部１３８内に位置付けられた複数の雌端子金具を押さえて、これら複数の雌端子金具が端子収容部１３８外に抜け落ちることを防止する。
【００６５】
上記コネクタ部１０７Ｂは、上述した電子部品基板１０２Ｂの複数の外部端子接続部４２と、上述したケース１０３Ｂに形成された端子収容部１３８と、により構成されている。すなわち、電子部品基板１０２Ｂが図１３に示す向きで箱部１３１Ｂ内に収容されることにより、複数の外部端子接続部４２が端子収容部１３８内に位置付けられ、コネクタ部１０７Ｂが形成される。また、複数の外部端子接続部４２は、一列に配置されている。また、前記雌端子金具がコネクタ部１０７Ｂに嵌合される方向は、第１の面１５１Ｂと平行な方向である。
【００６６】
上述した本発明の電子部品モジュール１０１Ｂは、複数の外部端子接続部４２と複数のリレー６との並び方向が、外部端子接続部４２に前記雌端子金具が電気接続される方向（第１の面１５１Ｂと平行な方向）と交差する方向であるので、ケース１０３Ｂの高さ方向（矢印Ｙ方向）の寸法を、従来品（図１５を参照。）と比較して非常に小型化することができる。
【００６７】
本発明の電子部品モジュール１０１Ｂが適用された電気接続箱においては、電気接続箱のケースの高さ方向の寸法を小型化することができる。
【００６８】
また、上述した第１〜３の実施形態においては、電子部品モジュール１Ａ，１Ｂ，１０１Ａ，１０１Ｂが自動車用電気接続箱に用いられる例を説明したが、本発明の電子部品モジュールは、種々の電子機器に用いることができる。また、上述した第１〜３の実施形態においては、電子部品基板２Ａ，２Ｂ，１０２Ａ，１０２Ｂに基板用リレー６が搭載される例を説明したが、本発明の電子部品モジュールは、電子部品基板に基板用リレー６だけでなく種々の電子部品を搭載することができる。
【００６９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００７０】
１Ａ，１Ｂ，１０１Ａ，１０１Ｂ  電子部品モジュール
２Ａ，２Ｂ，１０２Ａ，１０２Ｂ  電子部品基板
３Ａ，３Ｂ，１０３Ａ，１０３Ｂ  ケース
４Ａ，４Ｂ  バスバ
５，８，１０５Ａ，１０５Ｂ  絶縁板
６  リレー（電子部品）
７，１０７Ａ  コネクタ接続部
４２  外部端子接続部
【図１】
0005950336.tif 000002
【図２】
0005950336.tif 000003
【図３】
0005950336.tif 000004
【図４】
0005950336.tif 000005
【図５】
0005950336.tif 000006
【図６】
0005950336.tif 000007
【図７】
0005950336.tif 000008
【図８】
0005950336.tif 000009
【図９】
0005950336.tif 000010
【図１０】
0005950336.tif 000011
【図１１】
0005950336.tif 000012
【図１２】
0005950336.tif 000013
【図１３】
0005950336.tif 000014
【図１４】
0005950336.tif 000015
【図１５】
0005950336.tif 000016